(57)【要約】【課題】トランクを開状態としたままユーザが車両から離れる場合に、これをユーザに通知することのできるトランク開状態警報装置を提供する。【解決手段】車両用のトランクに設けられ、該トランクの開閉状態を検知するトランクスイッチ２と、車両用ドアのロック、アンロックを検知するドア状態検知部４ａと、ドアロック検知部にて全ての車両用ドアがロックされていることが検知され、且つ、トランクスイッチにより、トランクの開状態が検知された際には、警報信号を出力する制御を行うＣＰＵ４と、ＣＰＵ４より警報出力指令信号が出力された際に警報信号を発する警報手段とを備えたことを特徴とする。【選択図】      図１
2004299608.tif 000002
【特許請求の範囲】
【請求項１】
車両用トランクに設けられ、該トランクの開閉状態を検知するトランクスイッチと、
車両用ドアのロック、アンロックを検知するドア状態検知手段と、
前記ドアロック検知手段にて全ての車両用ドアがロックされていることが検知され、且つ、前記トランクスイッチにより、トランクの開状態が検知された際には、警報信号を出力する制御を行う制御手段と、
前記制御手段より警報出力指令信号が出力された際に警報信号を発する警報手段と、
を備えたことを特徴とするトランク開状態警報装置。
【請求項２】
前記警報手段は、音声による警報信号を出力することを特徴とする請求項１に記載のトランク開状態警報装置。
【発明の詳細な説明】
【０００１】
【発明の属する技術分野】
本発明は、車両用トランクが開状態のまま運転者が車両から離れることを防止するトランク開状態警報装置に関する。
【０００２】
【従来の技術】
車両に搭載されるトランクは、ユーザが携行するキーによる解錠操作、或いは車両に搭載されるトランクオープナの操作により、開状態とすることができる。また、トランクリッドを押し付けることにより、トランクロックとストライカーとを嵌合させて施錠することができる。
【０００３】
このようなトランクは、ユーザが開状態であることを知らずに、車両から離れる場合がある。即ち、通常ユーザは、車両から降車するときには、キーレスリモコン機等を用いて車両用ドアの全てのキーをロックし、これを確認した上で、車両から離れるのが一般的である。この場合、トランクリッドが開状態であることを知らずに離れてしまう場合が多々発生する。
【０００４】
このため、例えば、降雨があった場合にはトランク内に雨水が浸入することがあり、また、トランク内の収納物が盗難にあうというトラブルが発生してしまう。
【０００５】
【特許文献１】
特開平８−２４９５６４号公報
【０００６】
【発明が解決しようとする課題】
上述したように、従来における車両用のトランクは、ロックされないままユーザが車両から離れてしまう場合があり、このような場合には、盗難、雨水の浸入といったトラブルが発生してしまい、なんとかこのようなトラブルの発生を回避したいという要望が高まっていた。
【０００７】
この発明は、このような従来の課題を解決するためになされたものであり、その目的とするところは、トランクを開状態としたままユーザが車両から離れる場合に、これをユーザに通知することのできるトランク開状態警報装置を提供することにある。
【０００８】
【課題を解決するための手段】
上記目的を達成するため、本願請求項１に記載の発明は、車両用トランクに設けられ、該トランクの開閉状態を検知するトランクスイッチと、車両用ドアのロック、アンロックを検知するドア状態検知手段と、前記ドアロック検知手段にて全ての車両用ドアがロックされていることが検知され、且つ、前記トランクスイッチにより、トランクの開状態が検知された際には、警報信号を出力する制御を行う制御手段と、前記制御手段より警報出力指令信号が出力された際に警報信号を発する警報手段と、を備えたことを特徴とする。
【０００９】
また、請求項２に記載の発明は、前記警報手段は、音声による警報信号を出力することを特徴とする。
【００１０】
【発明の実施の形態】
以下、本発明の実施形態を図面に基づいて説明する。図１は、本発明の一実施形態に係るトランク開状態警報装置の構成を示すブロック図である。同図に示すように、該トランク開状態警報装置１は、トランクの開閉状態を検出するトランクスイッチ２と、ドアロックモータ用ドライバ５とを制御すると共に、この制御内容に基づいて、ドアの開閉状態を検知するドア状態検知部（ドア状態検知手段）４ａを有し、このドア状態検知部４ａの検知結果、及びトランクスイッチ２により得られるトランクの開閉状態に基づいて警報信号の出力、停止を制御するＣＰＵ（制御手段）４と、警報信号をチャイム音或いはブザー音により出力する音声出力部（警報手段）８と、ＣＰＵ４の出力信号に基づいて警報信号の出力指令信号を音声出力部８に供給する警報出力用ドライバ７と、を備えている。
【００１１】
また、トランクスイッチ２とＣＰＵ４との間には、インターフェース３が設けられている。
【００１２】
次に、上述のように構成された本実施形態に係るトランク開状態警報装置１の動作を、図２に示すフローチャート、及び図３に示す参考図を参照しながら説明する。
【００１３】
車両のユーザが車両から降車し、また、トランクを開けて荷物を降ろし、その後、ドアをロックして車両から離れる場合には、例えば図３に示すように、トランクリッド１０を開けたままの状態で、車両から離れてしまう場合がある。
【００１４】
この際、ユーザがキーレスリモコン機を用いて、ドアをロックすると、ＣＰＵ４の制御下で、ドアロックモータ用ドライバ５がドアロックモータ６に制御信号を出力し、ドアロックモータが駆動して、車両に搭載される全てのドアがロックされる（ステップＳＴ１でＹＥＳ）。
【００１５】
そして、この状態で、ＣＰＵ４はトランクスイッチ２の出力信号より、トランクの開閉状態を検出し、開状態であるか、或いは閉状態であるかを判断する（ステップＳＴ２）。そして、開状態であると判断された場合には（ステップＳＴ２でＹＥＳ）、ＣＰＵ４の制御下で、警報出力用ドライバ７は、音声出力部８に警報出力指令信号を供給し、これにより、音声出力部８より警報音が出力される（ステップＳＴ３）。
【００１６】
その結果、ユーザは、トランクが開状態であることを認識することができ、トランクリッドを閉状態とすることができる。
【００１７】
このようにして、本実施形態に係るトランクの開状態警報装置１では、ユーザが車両用ドアを全てロックし、この状態でトランクが開状態であると判断された場合には、警報信号が出力されるので、トランクが開状態のままユーザが車両から立ち去るというトラブルを回避することができる。
【００１８】
また、警報信号をブザー音、或いはチャイム音などの音声により出力するので、ユーザは、この警報音を聞き取ることにより、容易に警報信号が発生していることを認識することができる。
【００１９】
【発明の効果】
以上説明したように、本発明に係るトランク開状態警報装置では、ドア状態検出手段にて車両用のドアがロックされ、且つ、トランクの開状態が検出された際には、警報手段より警報信号が出力されるので、ユーザはトランクがロックされていないことを確実に知ることができ、トランクを開けた状態で車両から離れるというトラブルの発生を回避することができる。
【００２０】
また、ブザーやチャイムなどの音声により警報信号を発する構成とすることにより、ユーザは、より一層警報が出力されていることを認識し易くなる。
【図面の簡単な説明】
【図１】本発明の一実施形態に係るトランク開状態警報装置の構成を示すブロック図である。
【図２】本発明の一実施形態に係るトランク開状態警報装置の動作を示すフローチャートである。
【図３】車両のトランクリッドが開状態とされているときの様子を示す説明図である。
【符号の説明】
１  トランク開状態警報装置
２  トランクスイッチ
３  インターフェース
４  ＣＰＵ（制御手段）
４ａ  ドア状態検知部（ドア状態検知手段）
５  ドアロックモータ用ドライバ
６  ドアロックモータ
７  警報出力用ドライバ
８  音声出力部（警報手段）
１０  トランクリッド
【図１】
2004299608.tif 000003
【図２】
2004299608.tif 000004
【図３】
2004299608.tif 000005